【手続補正書】
【提出日】平成26年3月27日(2014.3.27)
【手続補正１】
【補正対象書類名】特許請求の範囲
【補正対象項目名】全文
【補正方法】変更
【補正の内容】
【特許請求の範囲】
【請求項１】
腎不全血液治療システムであって、
該システムは、
腎不全血液治療機と、
患者のための治療処方であって、該患者は、該患者の血液から溶質を除去するように該腎不全血液治療機によって治療される、治療処方と、
検査治療中に複数回、採取される複数の血液サンプルを含む検査であって、該検査は、該複数回の各々において該溶質の濃度レベルを決定する、検査と、
擬似１区画動態モデルを含む非一時的なコンピュータ可読媒体であって、該モデルの区画は、無視される容量と、該溶質に対する透析前濃度と等しい一定の溶質濃度とを有する、非一時的なコンピュータ可読媒体と、
デバイスであって、該デバイスは、該溶質に対する該動態モデルを使用して、（ｉ）該溶質の該濃度レベルのうちの少なくとも１つについての第１の事例において、少なくとも１つの推定患者パラメータを推定することと、（ｉｉ）該少なくとも１つの推定患者パラメータおよび該溶質に対する所望の治療結果についての第２の事例において、該治療処方のための治療継続時間、治療頻度、透析液流量、または血液流量のうちの少なくとも１つを決定することとを行うようにプログラムされる、デバイスと
を含む、腎不全血液治療システム。
【請求項２】
前記治療処方は、前記腎不全血液治療機のメモリの中に記憶される、請求項１に記載の腎不全血液治療システム。
【請求項３】
（ｉ）前記腎不全血液治療機は、家庭用血液透析機であること、（ｉｉ）前記デバイスは、医師コンピュータを含むこと、または（ｉｉｉ）該家庭用血液透析機は、該医師コンピュータとデータネットワーク通信をしていることのうちの少なくとも１つである、請求項１に記載の腎不全血液治療システム。
【請求項４】
前記デバイスは、前記第１の事例において、前記溶質の前記濃度レベルの各々を使用して、前記少なくとも１つの推定患者パラメータを推定するようにプログラムされる、請求項１に記載の腎不全血液治療システム。
【請求項５】
前記デバイスは、前記第１の事例において、前記溶質の前記濃度レベルの組み合わせを使用して、前記少なくとも１つの推定患者パラメータを推定するようにプログラムされる、請求項１に記載の腎不全血液治療システム。
【請求項６】
前記デバイスは、前記第１の事例において、前記溶質の前記濃度レベルのうちの前記少なくとも１つを使用して、複数の異なる推定患者パラメータを推定するようにプログラムされる、請求項１に記載の腎不全血液治療システム。
【請求項７】
前記デバイスは、前記第１の事例において、前記少なくとも１つの推定患者パラメータおよび前記溶質に対する前記所望の治療結果を使用して、該所望の治療結果を満足させる複数の治療継続時間と治療頻度との組み合わせを決定するようにプログラムされる、請求項１に記載の腎不全血液治療システム。
【請求項８】
前記満足させる治療継続時間と治療頻度との組み合わせのうちの少なくとも１つは、前記腎不全血液治療機とともに使用するために選択される、請求項７に記載の腎不全血液治療システム。
【請求項９】
前記少なくとも１つの推定患者パラメータは、生成率（Ｇ）、可動化クリアランス（ＫＭ）、および透析前分布容量（ＶＰＲＥ）から成る群より選択される、請求項１に記載の腎不全血液治療システム。
【請求項１０】
前記デバイスは、（ｉ）または（ｉｉ）のうちの少なくとも１つを行う際に、少なくとも１つの入力された機械動作パラメータを使用するようにさらにプログラムされる、請求項１に記載の腎不全血液治療システム。
【請求項１１】
前記少なくとも１つの機械動作パラメータは、血液流量、透析液流量、透析液全容量、限外濾過流量、および限外濾過容量から成る群より選択される、請求項１０に記載の腎不全血液治療システム。
【請求項１２】
前記溶質は、第１の溶質であり、前記動態モデルは、第１の動態モデルであり、および複数の溶質および対応する動態モデルを含み、前記デバイスは、該動態モデルの各々を使用して、（ｉ）前記対応する溶質の前記濃度レベルのうちの少なくとも１つについての前記第１の事例において、少なくとも１つの推定患者パラメータを推定することと、（ｉｉ）該少なくとも１つの推定患者パラメータおよび該対応する溶質に対する所望の治療結果についての前記第２の事例において、前記治療処方のための前記治療継続時間または前記治療頻度のうちの少なくとも１つを決定することとを行うようにプログラムされる、請求項１に記載の腎不全血液治療システム。
【請求項１３】
前記デバイスは、操作者が、前記溶質、対応する動態モデル、および所望の治療結果のうちのどれを（ｉｉ）、すなわち、前記少なくとも１つの推定患者パラメータおよび前記対応する溶質に対する所望の治療結果についての前記第２の事例において、前記治療処方のための前記治療継続時間または前記治療頻度のうちの少なくとも１つを決定することに含むべきかを選択することを可能にするようにさらにプログラムされる、請求項１２に記載の腎不全血液治療システム。
【請求項１４】
前記溶質のうちの１つは、リン酸塩であり、その対応する動態モデルは、リン酸塩の可動化が前記患者の血液における瞬時リン酸塩濃度と該患者の血液における治療前リン酸塩濃度との間の差に比例すると仮定する、請求項１２に記載の腎不全血液治療システム。
【請求項１５】
腎不全血液治療システムであって、
該システムは、
腎不全血液治療機と、
患者のための治療処方であって、該患者は、該患者の血液から溶質を除去するように該腎不全血液治療機によって治療される、治療処方と、
検査治療中に複数回、採取される複数の血液サンプルを含む検査であって、該検査は、該複数回の各々において該溶質の濃度レベルを決定する、検査と、
擬似１区画動態モデルを含む非一時的なコンピュータ可読媒体であって、該モデルの区画は、無視される容量と、該溶質に対する透析前濃度と等しい一定の溶質濃度とを有する、非一時的なコンピュータ可読媒体と、
デバイスであって、該デバイスは、該溶質に対する該動態モデルを使用して、（ｉ）該溶質の該濃度レベルのうちの少なくとも１つについての第１の事例において、少なくとも１つの推定患者パラメータを推定することと、（ｉｉ）該少なくとも１つの推定患者パラメータ、および治療継続時間または治療頻度のうちの少なくとも１つについての第２の事例において、該パラメータに対する治療結果を予測することとを行うようにプログラムされる、デバイスと
を含む、腎不全血液治療システム。
【請求項１６】
前記デバイスは、（ｉ）または（ｉｉ）のうちの少なくとも１つにおいて、少なくとも１つの入力された機械動作パラメータを使用するようにさらにプログラムされる、請求項１５に記載の腎不全血液治療システム。
【請求項１７】
前記少なくとも１つの機械動作パラメータは、血液流量、透析液流量、透析液全容量、限外濾過流量、および限外濾過容量から成る群より選択される、請求項１６に記載の腎不全血液治療システム。
【請求項１８】
前記溶質は、第１の溶質であり、前記動態モデルは、第１の動態モデルであり、および複数の溶質および対応する動態モデルを含み、前記デバイスは、該動態モデルの各々を使用して、（ｉ）前記対応する溶質の前記濃度レベルのうちの少なくとも１つについての第１の事例において、少なくとも１つの推定患者パラメータを推定することと、（ｉｉ）該少なくとも１つの推定患者パラメータ、および前記治療継続時間または前記治療頻度のうちの少なくとも１つについての第２の事例において、該パラメータに対する前記治療結果を予測することとを行うようにプログラムされる、請求項１５に記載の腎不全血液治療システム。
【請求項１９】
前記デバイスは、操作者が、前記溶質、対応する動態モデル、および所望の治療結果のうちのどれを（ｉｉ）に含むべきかを選択することを可能にするようにさらにプログラムされる、請求項１８に記載の腎不全血液治療システム。
【請求項２０】
腎不全血液治療システムであって、
該システムは、
腎不全血液治療機と、
患者のための治療処方であって、該患者は、該患者の血液から溶質を除去するように該腎不全血液治療機によって治療される、治療処方と、
検査治療中に複数回、採取される複数の血液サンプルを含む検査であって、該検査は、該複数回の各々において該溶質の濃度レベルを決定する、検査と、
擬似１区画動態モデルを含む非一時的なコンピュータ可読媒体であって、該モデルの区画は、無視される容量と、該溶質に対する透析前濃度と等しい一定の溶質濃度とを有する、非一時的なコンピュータ可読媒体と、
デバイスであって、該デバイスは、該溶質の該濃度レベルのうちの少なくとも１つについての第１の事例において、該溶質に対する該動態モデルを使用して、少なくとも１つの推定患者パラメータを推定するようにプログラムされ、該デバイスは、ユーザが、該溶質に対する該動態モデルを使用して、（ｉ）該少なくとも１つの推定患者パラメータ、および治療継続時間または治療頻度のうちの少なくとも１つについての第２の事例において、該パラメータの治療結果を予測すること、または（ｉｉ）該少なくとも１つの推定患者パラメータおよび該溶質の所望の治療結果についての第２の事例において、該治療処方のための治療継続時間、治療頻度、透析液流量、または血液流量のうちの少なくとも１つを決定することの間で選択することを可能にするようにさらにプログラムされる、デバイスと
を備える、腎不全血液治療システム。
【請求項２１】
腎不全血液治療機とともに使用するためのデバイスであって、該腎不全血液治療機は、患者の血液から溶質を除去するように該患者を治療するための治療処方を実行し、該患者は、検査を受け、該検査は、検査治療中に採取される複数の血液サンプルを含むことにより、複数回の各々において該溶質の濃度レベルを決定し、
該デバイスは、
プロセシングおよびメモリを備え、該プロセシングおよびメモリは、該溶質に対する動態モデルを使用して、（ｉ）該溶質の該濃度レベルのうちの少なくとも１つについての第１の事例において、少なくとも１つの推定患者パラメータを推定することと、（ｉｉ）該少なくとも１つの推定患者パラメータおよび該溶質に対する所望の治療結果についての第２の事例において、該治療処方のための治療継続時間、治療頻度、透析液流量、または血液流量のうちの少なくとも１つを決定することとを行うようにプログラムされる、デバイス。
【請求項２２】
腎不全血液治療機とともに使用するためのデバイスであって、該腎不全血液治療機は、患者の血液から溶質を除去するように該患者を治療するための治療処方を実行し、該患者は、検査を受け、該検査は、検査治療中に採取される複数の血液サンプルを含むことにより、複数回の各々において該溶質の濃度レベルを決定し、
該デバイスは、
プロセシングおよびメモリを備え、該プロセシングおよびメモリは、該溶質に対する動態モデルを使用して、（ｉ）該溶質の該濃度レベルのうちの少なくとも１つについての第１の事例において、少なくとも１つの推定患者パラメータを推定することと、（ｉｉ）該少なくとも１つの推定患者パラメータ、および治療継続時間または治療頻度のうちの少なくとも１つについての第２の事例において、該パラメータに対する治療結果を予測することとを行うようプログラムされる、デバイス。
【請求項２３】
腎不全血液治療機とともに使用するためのデバイスであって、該腎不全血液治療機は、患者の血液から溶質を除去するように該患者を治療するための治療処方を実行し、該患者は、検査を受け、該検査は、検査治療中に採取される複数の血液サンプルを含むことにより、複数回の各々において該溶質の濃度レベルを決定し、該デバイスは、
プロセシングおよびメモリを備え、該プロセシングおよびメモリは、該溶質の該濃度レベルのうちの少なくとも１つについての第１の事例において、該溶質に対する動態モデルを使用して、少なくとも１つの推定患者パラメータを推定するようにプログラムされ、該デバイスは、ユーザが、該溶質に対する該動態モデルを使用して、（ｉ）該少なくとも１つの推定患者パラメータ、および治療継続時間または治療頻度のうちの少なくとも１つについての第２の事例において、該パラメータに対する治療結果を予測すること、または（ｉｉ）該少なくとも１つの推定患者パラメータおよび該溶質に対する所望の治療結果についての第２の事例において、該治療処方のための治療継続時間、治療頻度、透析液流量、または血液流量のうちの少なくとも１つを決定することの間で選択することを可能にするようにさらにプログラムされる、デバイス。
【請求項２４】
腎不全血液治療機とともに使用するためのデバイスであって、該腎不全血液治療機は、患者の血液から溶質を除去するように該患者を治療するための治療処方を実行し、該溶質の該濃度レベルは、該患者の複数の身体特性に基づいて、該患者に対して推定され、
該デバイスは、
プロセシングおよびメモリを備え、該プロセシングおよびメモリは、該溶質の濃度レベルについての第１の事例において、該溶質に対する動態モデルを使用して、少なくとも１つの推定患者パラメータを推定するようにプログラムされ、該デバイスは、ユーザが、該溶質に対する該動態モデルを使用して、（ｉ）該少なくとも１つの推定患者パラメータ、および治療継続時間または治療頻度のうちの少なくとも１つについての第２の事例において、該パラメータの治療結果を予測すること、または（ｉｉ）該少なくとも１つの推定患者パラメータおよび該溶質に対する所望の治療結果についての第２の事例において、該治療処方のための治療継続時間、治療頻度、透析液流量、または血液流量のうちの少なくとも１つを決定することを可能にするようにさらにプログラムされる、デバイス。
【請求項２５】
腎不全治療とともに使用するための方法であって、
該方法は、
患者特有のパラメータを計算することであって、該計算することは、患者の検査の結果および該腎不全治療によって除去される溶質に対する動態モデルを使用する、こと、
該患者特有のパラメータおよび機械動作パラメータを該動態モデルに入力することによって、該溶質に対する値を計算すること、または、
該患者特有のパラメータおよび該溶質に対する値を該動態モデルに入力することによって、機械動作パラメータを計算すること
を含む、方法。